(57)【要約】【課題】釣糸等のごみを手軽に収納し、収納したごみを容易に取り出すことができ、操作性の優れた釣用ごみ入れを提供する。【解決手段】ごみ付着部を有し、このごみ付着部を内側にして側面視Ｖ字状又はＵ字状に折り曲げられる折り曲げシート１と、前記折り曲げシートを収納する収納空間及び前記収納空間の開口部を形成する容器本体２と、を備える。前記折り曲げシートは、折り曲げ部分から両側に離れた位置にある２辺を、前記容器本体のうち前記収納空間の開口部寄りの位置に固定されているので、使用者は、折り曲げシートを容易に反転させてごみを取り出し、また容易に元の収納空間に折り曲げシートを戻すことができる。【選択図】図１
2009284786.tif 000002
【特許請求の範囲】
【請求項１】
ごみ付着部を有し、このごみ付着部を内側にして側面視Ｖ字状又はＵ字状に折り曲げられる折り曲げシートと、
前記折り曲げシートを収納する収納空間及び前記収納空間の開口部を形成する容器本体と、を備えており、
前記折り曲げシートは、折り曲げ部分から両側に離れた位置にある２辺を、前記容器本体のうち前記収納空間の開口部寄りの位置に固定されている、釣用ごみ入れ。
【請求項２】
請求項１において、
前記折り曲げシートは、前記容器本体との非固定部分から固定部分に至る方向が、前記開口部の外側を向いている、釣用ごみ入れ。
【発明の詳細な説明】
【技術分野】
【０００１】
本発明は、不要となった釣糸等のごみを一時的に入れておくための釣用ごみ入れに関する。
【背景技術】
【０００２】
魚釣りにおいて、釣糸が劣化したり、切れてしまったりすることにより、釣糸等のごみが発生する場合がある。釣糸等のごみを釣場に遺棄することは自然環境保全の観点から絶対に避けるべきである。釣糸の遺棄は、単なるごみ問題にとどまらず、遺棄された釣糸が水鳥に絡まって深刻な被害を発生させる原因にもなっている。しかし、釣糸は手などにまとわり付きやすく厄介な存在なだけに、釣場に遺棄する者は後を絶たず、マナー向上を唱える精神論的な啓蒙活動にも限界がある。手軽にごみを収納しておき、しかるべき処分場所で簡単にごみを取り出せるようなごみ入れがあれば大変有用であり、誰もがマナーを徹底しやすくなることが期待できる。
【０００３】
本出願人は、登録実用新案第３０５１８７９号において、ほぼ中央で開閉自在に谷折りされた収納具本体の内側に、ごみ付着片（面ファスナーのフック）を取付けることを提案した。そして、収納具本体を開いたときの開度は、留め具によって一定開度に維持するようにした。これにより、使用者は、ごみ付着片に釣糸等のごみを付着させることができるので、手軽にごみを収納しておくことができた。
【０００４】
しかし、収納具本体を開いたときの開度が小さいと、ごみの収納は容易であっても、ごみの取り出しは、狭い収納具本体内に手を挿入してごみ付着片からごみを引き離すことを要し、容易でない場合があった。逆に、収納具本体を開いたときの開度を大きくしてしまうと、反発力を有する釣糸等のごみのまとまりが悪くなり、ごみの収納が容易でなくなってしまう場合があった。
【０００５】
本出願人は、上記とは別に、特開平１０−１９２０３３号において、バッグの開口部に袋状のごみ収納ポケットの開口部を縫合して、ごみを収納可能とすることを提案した。これにより、使用者は、ごみ収納ポケットを裏返してバッグ内から引き出すことで、ごみの取り出しを容易にすることができた。
【０００６】
しかし、ごみ収納ポケットのような袋体を裏返すには、局所的に大きなたわみ、又は伸縮が必要で、ごみ収納ポケットを構成する材質の弾性率が大きい場合には裏返しが容易ではない。逆に、ごみ収納ポケットを構成する材質の弾性率が小さい場合には、裏返した収納ポケットを元のバッグ内に戻すときに、元に戻る力が弱いため、手を収納ポケットの奥深くまで挿入して収納ポケットをバッグ内に戻さなければならない。また、ごみ収納ポケットを構成する材質の弾性率が小さく柔らかい場合には、釣糸と一緒に収納した釣り針に引っ掛かったり、擦れ合ったりして、収納ポケットが劣化しやすい場合があった。
【特許文献１】登録実用新案第３０５１８７９号公報
【特許文献２】特開平１０−１９２０３３号公報
【発明の開示】
【発明が解決しようとする課題】
【０００７】
そこで本発明は、釣糸等のごみを手軽に収納し、収納したごみを容易に取り出すことができ、操作性の優れた釣用ごみ入れを提供することを目的とする。
【課題を解決するための手段】
【０００８】
上記目的を達成するため、本発明の釣用ごみ入れは、
ごみ付着部を有し、このごみ付着部を内側にして側面視Ｖ字状又はＵ字状に折り曲げられる折り曲げシートと、
前記折り曲げシートを収納する収納空間及び前記収納空間の開口部を形成する容器本体と、を備えており、
前記折り曲げシートは、折り曲げ部分から両側に離れた位置にある２辺を、前記容器本体のうち前記収納空間の開口部寄りの位置に固定されていることとしたものである。
【０００９】
ごみ付着部を有し、このごみ付着部を内側にして側面視Ｖ字状又はＵ字状に折り曲げられる折り曲げシートの折り曲げ部分から両側に離れた位置にある２辺を、収納空間の開口部寄りの位置に固定したので、使用者は、釣糸等のごみを手軽に収納できるとともに、折り曲げシートを容易に反転させてごみを取り出し、また折り曲げシートを容易に元の収納空間に戻すことができる。
【００１０】
この釣用ごみ入れにおいて、
前記折り曲げシートは、前記容器本体との非固定部分から固定部分に至る方向が、前記開口部の外側を向いているのが好ましい。
【００１１】
折り曲げシートの非固定部分から固定部分に至る方向が外側を向いているので、反転させた折り曲げシートを使用者が元の収納空間に戻すことが、一層容易となる。
【発明を実施するための最良の形態】
【００１２】
次に、本発明の実施の形態について、図示の例に基づいて説明する。
【００１３】
＜１．構成＞
図１は、本発明の実施形態に係る釣用ごみ入れの容器本体を開いた状態の斜視図であり、図１（Ａ）は折り曲げシートを収納した状態、図１（Ｂ）は折り曲げシートを反転させた状態を示している。図２は、上記実施形態に係る釣用ごみ入れの容器本体を閉じた状態の斜視図である。図３は、上記実施形態に係る釣用ごみ入れを衣類に取付けた状態の正面図である。図４は、上記実施形態に係る釣用ごみ入れの容器本体を開いた状態において、折り曲げシートの折り曲げ線に垂直な面で切断した端面図であり、図４（Ａ）は折り曲げシートを収納した状態、図４（Ｆ）は折り曲げシートを反転させた状態を示しており、図４（Ｂ）〜（Ｅ）はその間の状態を順に示している。
【００１４】
この釣用ごみ入れは、折り曲げシート１、アウターシート３、ポケットシート４、サイドシート５、フックシート６、ループシート７、縁取りシート８、取付け具９、引出し具１０、取手シート８０を備えている。このうちアウターシート３とサイドシート５が、容器本体２を構成する。
【００１５】
折り曲げシート１は、一方の面に釣糸等のごみを付着させる付着部を有する、略長方形のシートである。折り曲げシート１は、ごみ付着部を内側にして中央で折り曲げられ、折り曲げシート１全体を側面から視ると（折り曲げ線の方向に視ると）Ｖ字状又はＵ字状となる。ここでＶ字状とは折り曲げ線において角をつけて折られた形状、Ｕ字状とは角をつけずに丸みをもって曲げられた形状を指す。なお好ましくは、付着部は折り曲げシート１の一方の面全体に形成される。また好ましくは、折り曲げシート１として面ファスナーのフック側が用いられる。
【００１６】
アウターシート３は、比較的丈夫な素材の略長方形のシートである。アウターシート３は中央で折り畳まれて、その内側に折り曲げシート１の収納空間を形成する。図４には説明を容易にするためアウターシート３を１層で構成したが、多層で構成しても良い。
【００１７】
ポケットシート４は、薄くて柔らかい略長方形のシートである。ポケットシート４も中央で折り畳まれて、その折り畳み線がアウターシート３の折り畳み線とほぼ重なるようにアウターシート３の内側に重ねられ、ポケットシート４の折り畳み線の両端側の２辺がアウターシート３の折り畳み線の両端側の２辺に縫い付けられている。これにより、折り畳まれたポケットシート４の外側面と、アウターシート３の内側面との間に、入漁券や小銭などを収容できるポケットが形成される。更に、ポケットシート４の折り畳み線から離れた位置にある２辺には、折り曲げシート１の折り曲げ部分から離れた位置にある２辺が縫い付けられている。これにより、折り曲げシート１が間接的に容器本体２に固定されていることになる。なお好ましくは、ポケットシート４としてはメッシュ素材が用いられる。
【００１８】
サイドシート５は、略二等辺三角形状のシートからなり、中央で対称に折り畳み可能となっている。そして、略二等辺三角形状であるサイドシート５の等しい２辺に挟まれた頂点がアウターシート３の折り畳み線の端部に位置させられ、アウターシート３とポケットシート４との縫い付け位置とほぼ同じ位置で、サイドシート５の等しい２辺がポケットシート４に縫い付けられている。このサイドシート５は２枚存在し、アウターシート３の折り畳み線の両端側にそれぞれ１枚ずつ設けられている。これにより、略二等辺三角形状であるサイドシート５の等しい２辺のなす角は、アウターシート３の最大開度を決定する。また、アウターシート３と一対のサイドシート５、５により、容器本体２の収納空間の開口部が形成される。図２に示すように使用者が容器本体２を閉じると、一対のサイドシート５、５はそれぞれ中央で対称に折り畳まれてアウターシート３の内側に挟まれる。
【００１９】
フックシート６は、面ファスナーのフック側のシートであり、アウターシート３の折り畳み線から離れた位置にある一方の端部（図示の例では釣用ごみ入れの可動側）の内側に縫い付けられている。一方、ループシート７は、面ファスナーのループ側のシートであり、アウターシート３の折り畳み線から離れた位置にある他方の端部（図示の例では釣用ごみ入れの固定側）の内側に縫い付けられている。図２に示すように使用者が容器本体２を閉じると、フックシート６とループシート７とが互いに付着する。
【００２０】
縁取りシート８は、アウターシート３の縁全周を他のシートの縁の一部とともに覆うものである。具体的には、アウターシート３の折り畳み線から離れた位置にある両端においては、縁取りシート８は、アウターシート３の縁部分とフックシート６又はループシート７の縁の一部を覆い、まとめて縫い付けられている。またアウターシート３の折り畳み線の両端付近においては、縁取りシート８は、アウターシート３の縁部分の他、ポケットシート４の折り畳み線の両端側の２辺と、略二等辺三角形状であるサイドシート５の等しい２辺を覆い、まとめて縫い付けられている。
【００２１】
取付け具９は、衣類やバッグへの釣用ごみ入れの取付けを可能とし、釣用ごみ入れの携帯を容易にするものであり、釣用ごみ入れの固定側に設けられる。図４に示した例では、一組の面ファスナー（フック及びループ）を、互いに付着面が向き合うように、アウターシート３の外側に縫い付ける。特に、一組の面ファスナーのうち一方は、アウターシート３の一端側でのみ縫い付けることとし、一組の面ファスナーのうち他方は、アウターシート３の他端側でのみ縫い付けることとする。例えば図４に示すように、一組の面ファスナーをアウターシート３の図示上下端でそれぞれ縫い付けた場合は、図３に示すように、使用者が一組の面ファスナーとアウターシート３との間にズボンのベルト等を通すことにより、釣用ごみ入れを容易に携帯することができる。なお取付け具９はこれに限らず他の形態でも良い。一組の面ファスナーをアウターシート３の折り畳み線の両端側でそれぞれ縫い付けた場合は、使用者が一組の面ファスナーとアウターシート３との間にバッグの肩紐等を通すことにより、釣用ごみ入れを携帯することができる。また取付け具９としては、クリップ、安全ピンその他任意のものを用いることができる。
【００２２】
引出し具１０は、折り曲げシート１の折り曲げ部分に取付けられた紐状の部材であり、容器本体２に収納された折り曲げシート１を使用者が反転させるために用いるものである。引出し具１０は、例えば、折り曲げシート１の折り曲げ部分の中央に形成した２つの穴に１本の太めの釣糸の両端を通し、その両端を結ぶことで形成される。引出し具１０の結び目は、付着部を有する面側に形成しておけば、使用者が折り曲げシート１を反転させるときに指でつまみやすくなる。
【００２３】
取手シート８０は、釣用ごみ入れの可動側に設けられたもので、小さな長方形の布片が半分に折り畳まれてなる。そして取手シート８０は、アウターシート３の折り畳み線から離れた位置にある端部の内側に、縁取りシート８とともに縫い付けられている。図２に示すような容器本体２を閉じた状態において、使用者が取手シート８０を手前側に引っ張ることにより、フックシート６とループシート７との付着を解除し、図１（Ａ）に示すような容器本体２を開いた状態とすることができる。
【００２４】
＜２．折り曲げシートの反転／収納の動作＞
折り曲げシート１は、折り曲げ部分から両側に離れた位置にある２辺を、容器本体２のうち収納空間の開口部寄りにおいて対向する面に固定されている。また、折り曲げられることで向かい合う部分同士は互いに固定されておらず、側面視Ｖ字状又はＵ字状となっている。この構成により、折り曲げシート１の反転及び収納は、袋体の裏返しにおけるような局所的に大きなたわみや伸縮を必要とせず、容易に行うことができる。
【００２５】
具体的な反転及び収納の動作は次の通りである。
折り曲げシート１が容器本体２に収納された図４（Ａ）の状態において、使用者が折り曲げシート１を反転させるときは、まず、折り曲げシート１の折り曲げ部分に取付けられた引出し具１０を指でつまんで、容器本体２の開口側に向かって引っ張る。
【００２６】
折り曲げ部分を引っ張られた折り曲げシート１は、容器本体２の固定側と可動側とにおいて均等に撓んで引っ張り出されることもあり得るが、通常は、引っ張り方向の僅かなずれや、折り曲げシート１の弾性の部分的なばらつきにより、容器本体２の固定側と可動側のいずれか一方において折り曲げシート１が撓み始める。図４（Ｂ）は、容器本体２の可動側において折り曲げシート１が撓み始めた例を示している。この状態において、図４（Ｂ）に矢印で示すように、撓み始めた部分においては、折り曲げシート１の弾性により元の形に戻ろうとする力が生じている。
【００２７】
元に戻ろうとする力に抗して使用者が引出し具１０を更に引っ張ると、図４（Ｃ）更には図４（Ｄ）に示すように、折り曲げシート１が次第に大きく撓む（撓んだ部分の曲率が大きくなる）。
【００２８】
更に使用者が引出し具１０を引っ張ると、図４（Ｅ）に示すように、折り曲げシート１のうち可なりの部分が容器本体２に対する固定部分より外方に出る。この段階まで来ると、撓まされた折り曲げシート１がその弾性によって元の形に戻ろうとする力は、より外方に出ようとする方向に働く。
【００２９】
その結果、図４（Ｆ）に示すように、折り曲げシート１は、容器本体２から最も外方に出た状態で安定する。この折り曲げシート１は、非固定部分から固定部分に至る方向が容器本体２の収納空間の開口部の外側を向いているので、容器本体２から最も外方に出た図４（Ｆ）の状態では、側面視Ω字状となる。このため、折り曲げシート１の付着面と、ループシート７との間には適当な間隔が保持されるので、折り曲げシート１として面ファスナーのフック側を用いた場合でも、これがループシート７に対して付着しにくいようになっている。また、折り曲げシート１が容器本体２から外方に出ているので、折り曲げシート１の付着面に付着させた釣糸等のごみをユーザが取り除く作業が容易にできる。更に、折り曲げシート１の付着面と、フックシート６又はループシート７との間に適当な間隔が保持されるので、折り曲げシート１の折り曲げ部分から離れた両端（ポケットシート４への縫い付け部分）の近くに付着させた釣糸等のごみであっても、ユーザが取り除く作業が容易にできる。
【００３０】
折り曲げシート１を使用者が再び元の位置に収納する場合は、図４（Ｆ）に示すような容器本体２から最も外方に出た状態において、折り曲げシート１の付着面を指で収納空間内へ押し下げることにより、上述の反転動作とは逆のプロセスを辿り、図４（Ｅ）更には図４（Ｄ）に示す状態になる。
【００３１】
図４（Ｄ）に示す状態になると、折り曲げシート１は、その弾性によって、元の収納空間に戻ろうとするので、容易に図４（Ｃ）、図４（Ｂ）、更には図４（Ａ）に示す状態になる。上述のように、折り曲げシート１は、非固定部分から固定部分に至る方向が容器本体２の収納空間の開口部の外側を向いているので、元の収納空間に戻ろうとする力が働きやすく、収納作業が特に容易になっている。
【００３２】
以上述べたように本実施形態の釣用ごみ入れによれば、使用者が、釣糸等のごみを手軽に収納し、折り曲げシートを容易に反転させてごみを取り出すことができ、また折り曲げシートを容易に元の収納空間に戻すことができる。これにより、マナーの徹底を可能とし、釣場のごみ問題を解決し、水鳥の被害防止にも貢献することができる。
【図面の簡単な説明】
【００３３】
【図１】本発明の実施形態に係る釣用ごみ入れの容器本体を開いた状態の斜視図であり、図１（Ａ）は折り曲げシートを収納した状態、図１（Ｂ）は折り曲げシートを反転させた状態を示している。
【図２】上記実施形態に係る釣用ごみ入れの容器本体を閉じた状態の斜視図である。
【図３】上記実施形態に係る釣用ごみ入れを衣類に取付けた状態の正面図である。
【図４】上記実施形態に係る釣用ごみ入れの容器本体を開いた状態において、折り曲げシートの折り曲げ線に垂直な面で切断した端面図であり、図４（Ａ）は折り曲げシートを収納した状態、図４（Ｆ）は折り曲げシートを反転させた状態を示しており、図４（Ｂ）〜（Ｅ）はその間の状態を順に示している。
【符号の説明】
【００３４】
１  折り曲げシート、２  容器本体、３  アウターシート、４  ポケットシート、５  サイドシート、６  フックシート、７  ループシート、８  縁取りシート、９  取付け具、１０  引出し具、８０  取手シート
【図１】
2009284786.tif 000003
【図２】
2009284786.tif 000004
【図３】
2009284786.tif 000005
【図４】
2009284786.tif 000006